(57)【要約】      （修正有）【課題】布の吸着を防ぎ、しかも流速の速い外部からの空気の流れをつくり、よって塵埃を効果的に吸い込むことができる布類掃除用ノズルを提供する。【解決手段】布類掃除用ノズルは、電気掃除機に接続する接続部３と、この接続部３に連通する略円筒状の本体５と、を有する。この本体５の略円筒状の片側面に、吸引領域９が、所定の中心角度120度の範囲で略円弧状に形成される。この吸引領域９には、吸い込み孔１１とブラシ状の突起１３が形成される。吸引領域９の縁部に沿って、羽１５が、板状に突出して形成され、この羽１５に吸引領域へ空気を供給する通気孔１７が形成され、掃除対象物を構成する布の吸着を防止する。【選択図】図１
0003136563.tif 000002
【実用新案登録請求の範囲】
【請求項１】
電気掃除機に接続する接続部と、この接続部に連通する略円筒状で棒状の本体と、この本体の略円筒状の片側面に所定の中心角度の範囲で略円弧状に形成される吸引領域と、この吸引領域に形成される吸い込み孔と、前記吸引領域に形成されるブラシ状の突起と、前記吸引領域の縁部に沿って板状に突出して形成され掃除対象物を構成する布の吸着を防止する羽と、この羽に形成され前記吸引領域へ空気を供給する通気孔と、を有することを特徴とする布類掃除用ノズル。
【請求項２】
前記所定の中心角度は１２０度であり、前記吸い込み孔は、前記本体の略円筒状の軸方向に沿った長孔であり、前記ブラシ状の突起は、突出長さが５から６ｍｍで、互いの間隔は１０ｍｍ以下であり、前記羽は、前記ブラシ状の突起と同じ突出長さを有することを特徴とする請求項１に記載の布類掃除用ノズル。
【考案の詳細な説明】
【技術分野】
【０００１】
この考案は、電気掃除機に接続して使用するする掃除用ノズルの形状に関する。
【背景技術】
【０００２】
従来の電気掃除機に接続して使用するする掃除用ノズルは、吸い込み孔が形成される吸引領域がほぼ平面をなし、床や畳などを掃除するのに適する。
しかし、布団、衣類、カーテンなど掃除対象物が布で構成される場合には、この布を掃除用ノズルの平面的な吸引領域が、ぴったりと吸着してしまう。このため掃除用ノズルへ外部の空気が供給されなくなり、空気の流れが絶え、塵埃を吸い込めなくなる。
【０００３】
下記の特許文献１のノズルでは、布団などの塵埃を擦るようにして除去し易いように、掃除用ノズルの平面的な吸引領域に、布に対して滑りのよい材質からなるカバーを被せる。そして、このカバーに形成した多数の貫通孔から、塵埃を吸い込む。
【０００４】
下記の特許文献２のノズルでは、布団などの塵埃を擦って除去し易いように、略楕円筒状の本体の周囲に、キャタピラ要素からなる無端状の回転部材を設ける。そして、この回転部材に形成した多数の吸込み用小孔から、本体の吸気口を経て塵埃を吸い込む。  本体の吸気口自体は平面的である。
【特許文献１】特開２０００−２５４０４６
【特許文献２】特開平１０−２１６０５４
【考案の開示】
【考案が解決しようとする課題】
【０００５】
上記特許文献１または２のノズルでは、布の吸着が起きた状態でも、滑りのよい材質や回転部材の働きで、ノズルを移動し易く、よって布団などを擦ることは容易になる。
しかしながら、布の吸着自体は防ぐことが困難であり、吸着が起きるとノズルへ外部の空気が供給されなくなり、やはり空気の流れが絶えるので、塵埃を吸い込み難くなるという事情は同じである。
【０００６】
この考案は、以上の問題点を解決するために、布の吸着を防ぎ、しかも流速の速い外部からの空気の流れをつくり、よって塵埃を効果的に吸い込むことができる布類掃除用ノズルを提供することを目的とする。
【課題を解決するための手段】
【０００７】
以上の課題を解決するために、第一考案は、電気掃除機に接続する接続部と、この接続部に連通する略円筒状で棒状の本体と、この本体の略円筒状の片側面に所定の中心角度の範囲で略円弧状に形成される吸引領域と、この吸引領域に形成される吸い込み孔と、前記吸引領域に形成されるブラシ状の突起と、前記吸引領域の縁部に沿って板状に突出して形成され掃除対象物を構成する布の吸着を防止する羽と、この羽に形成され前記吸引領域へ空気を供給する通気孔と、を有することを特徴とする布類掃除用ノズルである。
【０００８】
第二考案は、前記所定の中心角度は１２０度であり、前記吸い込み孔は、前記本体の略円筒状の軸方向に沿った長孔であり、前記ブラシ状の突起は、突出長さが５から６ｍｍで、互いの間隔は１０ｍｍ以下であり、前記羽は、前記ブラシ状の突起と同じ突出長さを有することを特徴とする請求項１に記載の布類掃除用ノズルである。
【考案の効果】
【０００９】
第一、又は第二考案によれば、吸い込み孔を有する吸引領域が、本体の略円筒状の片側面に所定の中心角度の範囲で略円弧状に形成されるので、従来の平面的なものに比べ、布はもとの平面的な状態に戻ろうとするので、吸着を防ぎ易い。
また、吸引領域には、吸い込み孔とともにブラシ状の突起が形成されるので、ブラシ状の突起の働きによって、布と吸い込み孔との間に、最適な隙間を維持でき、この隙間によって、流速の速い空気の流れを維持できる。よって塵埃を効果的に吸い込むことができる。
【００１０】
さらには、吸引領域の縁部に沿って板状に突出して羽を形成することで、縁部において布の吸着を防止できる。そして、この羽に形成された通気孔により、外部から吸引領域へ空気を供給できる。よって、ブラシ状の突起が作り出す最適な隙間へ、適度な空気を供給し続けることができる。
【００１１】
第二考案によれば、さらに、吸い込み孔を有する吸引領域が、中心角度は１２０度の範囲で形成されるので、中心角度が大きすぎて、布の吸着が起きていない部分から過多の空気が供給され空気の流速が遅くなってしまうことを防止できる。とともに、中心角度が小さすぎて、布がもとの平面的な状態に戻ろうとする力が小さくなるのを防止できる。
また、ブラシ状の突起は、突出長さが５から６ｍｍで、互いの間隔は１０ｍｍ以下とすることで、布と吸い込み孔との間に、最適な隙間を容易に維持できる。
【００１２】
さらに、羽はブラシ状の突起と同じ突出長さを有することで、羽と突起の間に段差ができないようにし、この段差から、過多の空気が供給され空気の流速が遅くなってしまうことを防止できる。
【考案を実施するための最良の形態】
【００１３】
この考案の実施形態を、図１及び図２に示す。
図１に示すように、この布類掃除用ノズル１は、電気掃除機に接続する円筒状の接続部３と、この接続部３に連通する略円筒状で棒状の本体５を有する。この本体５は、図１（Ｂ）に示すように、円筒状の断面の略上半分が略され平面部７を形成している。そして、この略円筒状の断面の略下半分すなわち片側面に、吸引領域９が形成される。
【００１４】
吸引領域９は、断面において、１２０度の中心角度の範囲で略円弧状に形成される。この吸引領域９には、複数の吸い込み孔１１が形成される。これら吸い込み孔１１は、吸引領域９の中央部と、両縁部（図１（Ｂ））とに、3列に形成される。各列では、長孔としての吸い込み孔１１が、複数、長手方向に整列している（図１（Ａ））。
また、吸引領域９にはブラシ状の突起１３が形成される。これらの突起１３は、吸い込み孔１１と吸い込み孔１１との間に形成され、突出長さが５ｍｍで、互いの間隔は１０ｍｍ以下である。
【００１５】
また、引領域の両縁部に沿って外側に、羽１５が板状に突出して形成される。これら羽１５は、中心角度は１５０度であり、両縁部に形成される吸い込み孔１１と突起１３のさらに外側に隣接する。また、羽１５はブラシ状の突起１３と同じ突出長さを有する。この羽１５には複数の通気孔１７が形成され、吸引領域９へ空気を供給する。これにより、両縁部で、掃除対象物を構成する布の吸着を防止する。羽１５の長手方向の両端には、小さなフランジ１９が形成され、両端の強度を高める。
【００１６】
「実施形態の効果」
この実施形態によれば、吸い込み孔１１を有する吸引領域９が、略円弧状に形成され、いわば立体吸引方式とも呼ばれるべきものであり、従来の平面的なものに比べ、吸引領域９で吸われた布２１はもとの平面的な状態に戻ろうとする（図２（Ａ）矢印２３）ので、吸着を防ぎ易い。よって、例えば羽毛布団のように柔らかな布を有している掃除対象物であっても、吸着なしに、楽に掃除ができる。
また、本体５を棒状とすることで、布団などの柔らかい布物の叩き掃除もできる。さらに、棒状とすることで、掃除方向の変更が自由自在であり、カーテン、衣類など直立状態にある掃除対象物の掃除もとても便利になる。
【００１７】
また、吸引領域９には、ブラシ状の突起１３が形成されるので、ブラシ状の突起１３の働きによって、布と吸い込み孔１１との間に、最適な寸法の小さな隙間を維持できる。この隙間によって、流速の速い空気の流れを維持できる。よって花粉などの塵埃を効果的に吸い込むことができる。また、ブラシ状の突起１３により、ブラシのように掃除対象物を擦って付着している毛足の長い毛などを容易に掃除できる。
【００１８】
さらには、吸引領域９の縁部に沿って板状に突出して羽１５を形成することで、縁部において布が吸着するのを防止できる。そして、この羽１５に形成された通気孔１７により、外部から吸引領域９へ空気２５を供給できる。よって、ブラシ状の突起１３が作り出す最適な隙間へ、適度な空気を供給し続けることができる（図２（Ｂ））。
【００１９】
また、羽１５で吸引領域９を囲むことにより、ブラシ状の突起１３で掃除対象物をたたいた際に舞い上がった埃を逃がさず、飛散させず、効率よく吸い込むことができる。
また、羽１５で吸引領域９を囲むことにより、掃除機の吸引力を、この吸引領域９に更に集中させることができる。
【００２０】
さらに、吸い込み孔１１を有する吸引領域９が、中心角度は１２０度の範囲で形成されるので、中心角度が大きすぎて、布の吸着が起きていない部分から過多の空気が供給され空気の流速が遅くなってしまうことを防止できる。とともに、中心角度が小さすぎて、布がもとの平面的な状態に戻ろうとする力が小さくなるのを防止できる。
【００２１】
さらに、羽１５はブラシ状の突起１３と同じ突出長さを有することで、羽１５と突起１３の間に段差ができないようにし、この段差から、過多の空気が供給され空気の流速が遅くなってしまうことを防止できる。
【００２２】
「他の実施形態」
以上の実施形態では、吸引領域９の中心角度は１２０度であり、ブラシ状の突起１３は、突出長さが５ｍｍで、互いの間隔は１０ｍｍ以下であったが、他の実施形態では、掃除対象物を構成する布の剛性にしたがって、適宜変更することが可能である。  
【図面の簡単な説明】
【００２３】
【図１】この考案の一実施形態に係る布類掃除用ノズルを示すもので、（Ａ）は側面図、（Ｂ）は断面図である。
【図２】（Ａ）は図１（Ｂ）の作用を示す図、（Ｂ）は図１（Ａ）の要部拡大斜視図である。
【符号の説明】
【００２４】
１…布類掃除用ノズル、３…接続部、５…本体、７…平面部、９…吸引領域、１１…吸い込み孔、１３…突起、１５…羽、１７…通気孔、１９・・フランジ。
【図１】
0003136563.tif 000003
【図２】
0003136563.tif 000004